(57)【要約】【課題】液槽内の奥まった所や隅或いは加工対象物に形成された深穴の穴底のように鞘管の先端が届き難い場所に溜った磁性物であっても確実に除去できる磁性物除去具を提供する。【解決手段】非磁性材料からなり、その一方端が閉塞され、他方端が開口している長尺の鞘管１２と、鞘管１２内にその長手方向に移動可能に設けられている磁力発生部材１４と、その一方の端部に磁力発生部材１４が取り付けられ、その他方の端部が鞘管１２の開口から外方へ突出して設けられている操作棒１６と、鞘管１２の外面を囲繞し、鞘管１２の長手方向に摺動可能に取り付けられているスクレーパ１８と、スクレーパ１８に対して鞘管１２の開口側にて鞘管１２に着脱可能に取り付けられているストッパー２０とを備えることを特徴とする。【選択図】図１
2009254944.tif 000002
【特許請求の範囲】
【請求項１】
非磁性材料からなり、その一方端が閉塞され、他方端が開口している長尺の鞘管と、
前記鞘管への挿入端部に磁力発生部材が取り付けられ、その他方の端部が前記鞘管の開口から外方へ突出して設けられ、鞘管内をその長手方向に移動可能に設けられている操作棒と、
前記鞘管の外面を囲繞し、前記鞘管の長手方向に摺動可能に取り付けられているスクレーパと、
前記スクレーパに対して前記鞘管の開口側にて前記鞘管に着脱可能に取り付けられているストッパーとを備えることを特徴とする磁性物除去具。
【請求項２】
前記磁力発生部材は、永久磁石とスペーサーとを交互に配置することによって構成されており、前記鞘管の閉塞端側に永久磁石が配置されていることを特徴とする請求項１に記載の磁性物除去具。
【請求項３】
前記鞘管の開口側の内周面には、掛止部が突出して設けられており、
前記操作棒を引き抜き方向に移動させた時に、前記鞘管の掛止部に当接する当接部が操作棒の外面に突設されており、
前記掛止部と前記当接部とが互いに磁着可能であることを特徴とする請求項１または２に記載の磁性物除去具。
【発明の詳細な説明】
【技術分野】
【０００１】
本発明は、鉄系金属の加工時に発生する切粉などの、磁石に磁着する磁性物を除去するのに用いられる磁性物除去具に関する。
【背景技術】
【０００２】
金属加工時に発生する切粉（例えば鉄粉）などの磁性物を除去する磁性物除去具として、非特許文献１のようなものが存在する。この従来の磁性物除去具１は、図８に示すように、その一方の端部が閉塞され、他方の端部が開口している長尺の鞘管２と、前記鞘管２に対して抜き差し可能にて挿入された操作棒４と、前記操作棒４の挿入端部に挿入配設された複数のリング状磁石３と、前記操作棒４の挿入端部に設けられ、操作棒４の挿入時に鞘管２の閉塞端内面に当接する緩衝部材３ａと、鞘管２の開口側端部外面に設けられたグリップ８とで大略構成されている。
【０００３】
鞘管２の先端部分は開口側に比べて拡径しており、当該拡径部２ａの中央部分には、突条５がその全周に亘って形成されている。鞘管２の拡径部２ａにおいて、突条５を境に先端側（図８における突条５より左側）が磁性物Ｘを磁着する磁着部２ａ１で、この磁着部２ａ１には、鞘管２の拡径部２ａの外面を囲繞するリング状のスクレーパ６が拡径部２ａの長手方向に摺動可能に取り付けられている。
【０００４】
従来の磁性物除去具１を使用する際には、スクレーパ６を突条５に沿わせ、且つ操作棒４を挿入した状態で鞘管２の先端（磁着部２ａ１）を磁性物Ｘが存在する箇所に近づけ、磁性物Ｘを鞘管２内部の磁石３の磁力で引き寄せて鞘管２の磁着部２ａ１表面に付着（磁着）させる。例えば、図１に示すような工作機械の液槽Ｍ内の磁性物Ｘを磁着除去する場合は、液槽Ｍの中に鞘管２を浸漬させればよいし、加工対象物に形成されている深穴の穴底に溜った磁性物Ｘを吸着除去する場合は、当該深穴に前記状態で鞘管２の先端部分（拡径部２ａ）を挿入すればよい。
【０００５】
この状態では、鞘管２の磁着部２ａ１に磁石３が挿入されているので、挿入部分の周囲に散らばる磁性物Ｘは引き寄せられて磁着部２ａ１の表面に付着する。磁着部２ａ１の表面に磁性物Ｘが十分付着すれば、この磁性物Ｘが付着している磁性物除去具１を液槽Ｍ内から引き上げ（或いは、深穴から引き抜き）、続いて磁性物Ｘの投棄場所に移動し、ここで操作棒４をゆっくり引っ張って鞘管２内の磁石３を手前に引き寄せる。すると、鞘管２の表面に付着している磁性物Ｘが磁石３に引き寄せられて磁石３とともに鞘管２の表面を移動する。
【０００６】
さらに操作棒４を引っ張っていくと、磁石３は操作棒４の移動に合わせて突条５に沿わせて配設されたスクレーパ６側に進むが、磁石３がスクレーパ６を越えて抜去方向に移動すると磁性物Ｘはスクレーパ６に行く手を遮られてそれ以上進むことができなくなり、スクレーパ６の前に堆積し、そして、磁石３の磁力が磁性物Ｘに及ばなくなったところで磁性物Ｘが自重落下する。鞘管２の表面に僅かに付着している磁性物Ｘや挿入時に付着した液槽Ｍ内の液体は、スクレーパ６を前方（閉塞先端面２ｂ側）へ摺動させることによって綺麗に除去できる。
【非特許文献１】ニューストロング販売株式会社商品カタログ「ＸＭＡＣ掃磁棒・とって坊」ニューストロング販売株式会社
【発明の開示】
【発明が解決しようとする課題】
【０００７】
従来の磁性物除去具１では、鞘管２における拡径部２ａの中央部分に固定状態で突条５が形成されているので、スクレーパ６を、突条５を越えて鞘管２の開口端側へ移動させることはできなかった。そのため、液槽Ｍ内の奥まった所に存在する磁性物Ｘや加工対象物に形成された深穴の穴底に溜った磁性物Ｘを除去しようとした場合に、外方に張り出したスクレーパ６が周囲の機材や穴縁に引っ掛かってしまって挿入できず、目的箇所の磁性物Ｘを除去できないという問題があった。
【０００８】
また、操作棒４の挿入端部には、磁石３が鞘管２の閉塞端内面に衝突するのを防止するために緩衝部材３ａが設けられており、操作棒４を鞘管２に挿入した状態では磁石３が鞘管２の閉塞端内面から離れていたので、磁性物Ｘは鞘管２の閉塞先端面２ｂに付着せず、磁着部２ａ１外面に主として付着するだけであったので、隅の部分にかたまった磁性物Ｘの除去が困難であった。
【０００９】
本発明は、かかる従来の問題点に鑑みてなされたものであり、液槽内の奥まった所や隅或いは加工対象物に形成された深穴の穴底のように鞘管の先端が届き難い場所に溜った磁性物であっても確実に吸着除去できる磁性物除去具を提供することにある。
【課題を解決するための手段】
【００１０】
請求項１に記載した発明は、「非磁性材料からなり、その一方端が閉塞され、他方端が開口している長尺の鞘管１２と、鞘管１２への挿入端部に前記磁力発生部材１４が取り付けられ、その他方の端部が鞘管１２の開口から外方へ突出して設けられ、鞘管１２内をその長手方向に移動可能に設けられている操作棒１６と、鞘管１２の外面を囲繞し、鞘管１２の長手方向に摺動可能に取り付けられているスクレーパ１８と、スクレーパ１８に対して鞘管１２の開口側にて鞘管１２に着脱可能に取り付けられているストッパー２０とを備える」ことを特徴とする磁性物除去具１０である。
【００１１】
この発明では、スクレーパ１８が鞘管１２にその長手方向に摺動可能に取り付けられているので、スクレーパ１８を鞘管１２の閉塞先端面１２ａから大きく離れた開口側の任意の位置に配置できる。従って、スクレーパ１８を鞘管１２の閉塞先端面１２ａから大きく離れた開口側（図２における右側）に配置すれば、鞘管１２の狭隘部又は隅などへの挿入代を大きく取ることができ、液槽Ｍの奥まった所や隅、加工対象物に形成された深穴の穴底に溜った磁性物Ｘを除去しようとするときにスクレーパ１８が周囲の基材や穴縁に引っ掛かるのを回避できる。
【００１２】
請求項２に記載した発明は、磁力発生部材１４を限定したもので、「磁力発生部材１４は、永久磁石１４ａとスペーサー１４ｂとを交互に配置することによって構成されており、鞘管１２の閉塞端側に永久磁石１４ａが配置されている」ことを特徴とするものである。
【００１３】
従来技術のように磁石３の先端に緩衝部材３ａが取り付けられているような場合、鞘管２の閉塞先端面２ｂには磁力が確実に及ばず、その結果、鞘管２の閉塞先端面２ｂにおいて磁性物Ｘを十分に磁着させることができないという問題がある。特に、深穴の穴底に溜った磁性物Ｘを除去する際には、鞘管２の閉塞先端面２ｂの磁力が十分でなければ磁性物Ｘを効果的に除去することができない。この点、本発明では、鞘管１２の閉塞端側に永久磁石１４ａが配置されているので、鞘管１２の閉塞先端面１２ａに永久磁石１４ａの磁力を確実に及ぼすことが可能となり、鞘管１２の閉塞先端面１２ａに磁性物Ｘを確実に磁着させることができる。
【００１４】
請求項３に記載した発明は、「鞘管１２の開口側の内周面側には、掛止部２２ｂが突出して設けられており、操作棒１６を引き抜き方向に移動させた時に、鞘管１２の掛止部２２ｂに当接する当接部１６ｄが操作棒１６の外面に突設されており、掛止部２２ｂと当接部１６ｄとが互いに磁着可能である」ことを特徴とするものである。
【００１５】
この発明では、掛止部２２ｂと当接部１６ｄとが互いに当接することによって操作棒１６の最大引出量が規制されるのであるが、この掛止部２２ｂと当接部１６ｄの少なくともいずれか一方が永久磁石であるか、或いは永久磁石が取り付けられており、他方がこれに磁着する鉄片のような強磁性体であるか、或いは対向面同士を異極に配置した永久磁石或いは永久磁石が取り付けられており、互いに磁着することによって操作棒１６はその最大引出位置にて位置固定される。したがって、操作棒１６から手を離しても、操作棒１６（およびその先端に取り付けられている磁力発生部材１４）が鞘管１２内を挿入方向に勝手にスライドすることはなく、鞘管１２の表面に付着した磁性物Ｘ等をスクレーパ１８で除去するときの作業性を大いに高めることができる。
【発明の効果】
【００１６】
本発明によれば、液槽の奥まった所や隅、或いは加工対象物に形成された深穴の穴底のように鞘管の先端が届き難い場所に溜った磁性物であっても確実に磁着除去できる磁性物除去具を提供できた。
【発明を実施するための最良の形態】
【００１７】
以下、本発明を図面にしたがって説明する。図１は、本発明にかかる磁性物除去具１０の使用状態を示す図である。図２は、本発明にかかる磁性物除去具１０を示す図である。図３は、磁性物除去具１０の分解図である。これらの図から分かるように、本発明に係る磁性物除去具１０は、鞘管１２、磁力発生部材１４、操作棒１６、スクレーパ１８およびストッパー２０により大略構成されている。
【００１８】
鞘管１２は、ステンレスのような磁着性のない非磁性材料からなる長尺のパイプ材で、その先端（鞘管１２の長手方向一方端部、図３中左側）が非磁性材料で構成された閉塞板２１によって閉塞されている（この閉塞板２１の外面が鞘管１２の閉塞先端面１２ａとなる）。
【００１９】
鞘管１２の後端部（長手方向他方端部）は開口しており、その開口端部にある程度の長さのゴム製のグリップ２２が取り付けられている。グリップ２２の後端面には、操作棒挿通孔２２ａ［図３(b)参照］が形成され、且つグリップ２２の後端部の内側には、掛止部２２ｂとなるリング状の磁石（或は磁石が装着されたリング状の板）が取り付けられており、この操作棒挿通孔２２ａ及び掛止部２２ｂに操作棒１６が挿通されている。図の実施例では、掛止部２２ｂは、グリップ２２の後端部に装着されるようになっているが、鞘管１２の内側に入り込んだ箇所でもよく、例えば、鞘管１２内に螺入して内鍔状にて取り付けるようにしてもよく、その設置場所は問わない。
【００２０】
操作棒１６は、細径で長尺の棒材１６ａとその先端に螺着され、ナット１４ｄによってナット掛け止めされている皿ねじ１６ｂとで構成され、皿ねじ１６ｂの脚部に磁力発生部材１４がナット１４ｅによるナット掛けにより取り付けられている。棒材１６ａの他方端部には、握り部１６ｃが取り付けられている。また、棒材１６ａの中央部分には、操作棒１６を抜去方向に移動させた時に前記掛止部２２ｂに当接する当接部１６ｄが設けてある。この当接部１６ｄは、前記掛止部２２ｂに磁着するリング状鉄片のような強磁性体、或いは当接部１６ｄを構成する永久磁石の対向面の極性と異なる極性の永久磁石又はこのような永久磁石が装着されたリング状部材が取り付けられている。前記の例では掛止部２２ｂに永久磁石を使用した例を示したが、掛止部２２ｂと当接部１６ｄとが磁着できればよいので前記の逆の例でもよい。
【００２１】
磁力発生部材１４は、磁力の作用によって磁性物Ｘを鞘管１２の閉塞先端面１２ａ側の表面に磁着させるための磁力発生源となるものであり、リング状の永久磁石１４ａと断面略Ｈ字状の黄銅或は樹脂のような非磁性体製のスペーサー１４ｂとを交互に配置することによって構成され、永久磁石１４ａとスペーサー１４ｂに挿通された前記皿ねじ１６ｂの皿頭とナット１４ｅでのダブル掛けによってこれらが一体的に固定されている。永久磁石１４ａの材質としては、磁力の強いネオジウムが用いられている。なお、本実施例では、４つの永久磁石１４ａと３つのスペーサー１４ｂとが交互に配置されており、操作棒１６の先端部分には永久磁石１４ａが配置されて先端の永久磁石１４ａが鞘管１２の閉塞板２１に直接当接するように皿ビス固定されている。
【００２２】
磁力発生部材１４を構成している永久磁石１４ａやスペーサー１４ｂの外径は、磁着力を損なわないように鞘管１２内に僅かのクリアランスが設けられ且つスムーズに鞘管１２内を長手方向に移動できるよう適宜設定されている。
【００２３】
鞘管１２の外周面には、スクレーパ１８とストッパー２０とが取り付けられている。スクレーパ１８は樹脂などの非磁性材料からなり、細径の握り部１８ａと握り部１８ａより大径の鍔部１８ｂとで筒状にて一体的に構成され、その内径は、鞘管１２の外径と大略等しく設定されている。鍔部１８ｂは握り部１８ａの前端部（図２中、左側端部）に形成され、その前端面（図２中、左側端面）は平滑面となっている。本実施例では、握り部１８ａと鍔部１８ｂとが射出成形により一体成形されているが、別体で構成することも可能である。
【００２４】
ストッパー２０は、図３(c)に示すように、略Ｃ字状の締着部２０ａと、締着部２０ａの底部から直角方向へ延びる把手部２０ｂとで構成されている。締着部２０ａの内径は、鞘管１２の外径に比べて若干小さめに設定されている。本実施例では、締着部２０ａと把手部２０ｂとがある程度の剛性と可撓性とを併有する樹脂などの非磁性材料にて一体成形されている。
【００２５】
次に、磁性物除去具１０の使用方法について説明する。ここでは、図１に示すように、工作機械の液槽Ｍ内に沈殿或いは浮遊している磁性物Ｘを除去する方法について説明する。
【００２６】
磁性物除去具１０を使用する際には、まず、操作棒１６を鞘管１２内に差し込んで磁力発生部材１４を鞘管１２の閉塞先端面１２ａに接するように配置する。スクレーパ１８は、液槽Ｍ内に挿入する場合に何かに当たって邪魔になる事がないような鞘管１２の任意の位置、すなわち、鞘管１２の閉塞先端面１２ａから或る程度離れた位置に配置すればよい。ストッパー２０は、スクレーパ１８に対して鞘管１２の開口側に取り付ける。なお、スクレーパ１８は、その内径が鞘管１２の外径とほぼ同じで軽い止まりバメ状態で摺動可能となるように設定されているので、鞘管１２の先端を下に向けてもスクレーパ１８が自重で滑り落ちてくるようなことはない。
【００２７】
以上のようにして磁性物Ｘを除去する準備が完了すると、液槽Ｍ内に磁性物除去具１０の鞘管１２を先端から突っ込む（このとき、必要に応じて液槽Ｍ内を撹拌してもよい）。すると、液槽Ｍ内に沈殿或いは浮遊している磁性物Ｘが磁力発生部材１４の磁力によって引き寄せられ、鞘管１２の先端部分の表面に付着する（図４参照）。本実施例では、磁力発生部材１４の先端側に永久磁石１４ａが配置されており、永久磁石１４ａの磁力は鞘管１２の閉塞先端面１２ａにも及んでいる。したがって、磁性物Ｘは、鞘管１２の閉塞先端面１２ａにも多量に付着することとなる。
【００２８】
なお、前述のようにしていても磁性物除去具１０の鞘管１２を液槽Ｍ内に挿入する際、スクレーパ１８が邪魔になって鞘管１２の先端を液槽Ｍの奥深くまで思うように挿入できない場合もある。この場合は、スクレーパ１８を鞘管１２の開口側に更に引き寄せることで上述した問題を回避することができる。
【００２９】
鞘管１２の先端部分の表面に磁性物Ｘが十分付着すれば、これを液槽Ｍから引き上げ、磁性物Ｘの投棄場所に移動し、そこで操作棒１６をゆっくりと引っ張る。操作棒１６をゆっくりと引っ張ると、磁力発生部材１４は鞘管１２の先端側からグリップ２２側へ移動し、鞘管１２の表面に付着している多量の磁性物Ｘも磁力発生部材１４の磁力に引き寄せられてこれと共にスクレーパ１８側へ移動する。鞘管１２にはスクレーパ１８が鞘管１２の全周を囲繞するように設けられているので、スクレーパ１８に行き当たった処でスクレーパ１８の前面で団子状に蝟集する（図５参照）。
【００３０】
そして、操作棒１６をさらに引っ張れば磁力発生部材１４もさらにスクレーパ１８を超えて移動するが、磁性物Ｘは上述したようにスクレーパ１８を越えて先に進むことはできず、磁力発生部材１４の磁力が磁性物Ｘに及ばなくなると、磁性物Ｘが自重落下する（図６参照）。
【００３１】
鞘管１２の表面には、表面張力や静電気等によって挿入時に付着した液槽Ｍ内の液体や磁性物Ｘが僅かに付着していることがあるが、これらはスクレーパ１８で簡単且つ手を汚すことなく除去できる。つまり、スクレーパ１８の握り部１８ａを掴み、これを前方へ摺動させれば、鞘管１２の表面に付着している液槽Ｍの液体や磁性物Ｘが前方へ押しやられ、鞘管１２の表面が綺麗になる（図７参照）。
【００３２】
なお、操作棒１６をさらに引っ張ると、やがて、鞘管１２のグリップ２２に取り付けられている掛止部２２ｂと、操作棒１６に取り付けられている当接部１６ｄとが互いに当接すると同時に磁着し、操作棒１６がその最大引出位置にて位置固定される。したがって、操作棒１６から手を離しても操作棒１６（およびその先端に取り付けられている磁力発生部材１４）が鞘管１２内を勝手に挿入方向にスライドすることはなく、この状態で上述したスクレーパ１８による磁性物Ｘ等の除去作業をおこなえば、その作業性を大いに高めることができる。
【図面の簡単な説明】
【００３３】
【図１】この発明に係る磁性物除去具の使用状態を示す図である。
【図２】この発明に係る磁性物除去具を示す正面図である。
【図３】この発明に係る磁性物除去具を示す分解図である。
【図４】磁性物除去具の使用状態（磁性物を付着させた状態）を示す図である。
【図５】磁性物除去具の使用状態（操作棒を引き寄せている状態）を示す図である。
【図６】磁性物除去具の使用状態（磁性物が自重落下している状態）を示す図である。
【図７】磁性物除去具の使用状態（スクレーパを移動させている状態）を示す図である。
【図８】従来の磁性物除去具を示す図である。
【符号の説明】
【００３４】
１０…磁性物除去具
１２…鞘管
１４…磁力発生部
１６…操作棒
１８…スクレーパ
２０…ストッパー
【図１】
2009254944.tif 000003
【図２】
2009254944.tif 000004
【図３】
2009254944.tif 000005
【図４】
2009254944.tif 000006
【図５】
2009254944.tif 000007
【図６】
2009254944.tif 000008
【図７】
2009254944.tif 000009
【図８】
2009254944.tif 000010